(57)【要約】【課題】  本発明はロール紙の切断具を使用する場合、従来は両手を使って紙をひきだし、上蓋で押さえて切り離していたのを片手で出来る様にしたロール紙の切断具を提供する。【解決手段】この切断具は紙の流れを止める天板と紙の流れ台を嵌め込んで受け乗せた支持脚を壁板の上部正面に固定した構造にしている。紙の流れ台にはその側面に嵌め込みをする支軸棒を、正面寄りに紙を摘み出す切り抜き窓を、正面に切り刃を設け、両側に滑り止めのガードを、紙の入り口を半円形にしている。壁板下方正面に半円形のロール紙受け台を固定した片手で出来るロール紙の切断具。【選択図】図５
2007130416.tif 000002
【特許請求の範囲】
【請求項１】
基盤となる壁板の上部に紙の突き上げと流れを止める天板を水平に固定し、この天板の真下に紙の流れ台を嵌め込んで受け乗せた支持脚を両側に取り付けていることを特徴とする片手で出来るロール紙の切断具。
【請求項２】
支持脚の上辺正面寄りに紙の流れ台に取り付けている支軸棒を嵌め込む為の受け溝が設けられている請求項１の片手で出来るロール紙の切断具。
【請求項３】
シーソー台の役目もする紙の流れ台にはその支点に支軸棒を設け、支軸棒の正面寄りに紙の端を指で摘んで引き出せる切抜き窓を開け、その正面の端に鋸状の切り刃を、その側面双方に紙の滑り落ちを防ぐガードを付け、壁板側となる流れ台の紙の入り口を紙の流れに沿った型にしているのを特徴とする請求項１の片手で出来るロール紙の切断具。
【請求項４】
ロール紙の受け置き部分をロール紙の外周の形の半円形とし、ロール紙の回転を補助する二本のローラーとその位置と直径をもってその三方を囲って一体化した受け台を設けている請求項１の片手で出来るロール紙の切断具。
【発明の詳細な説明】
【技術分野】
【０００１】  本発明は両手で行っていたロール紙の切断を片手で出来るようにした片手で出来るロール紙の切断具に関するものである。
【背景技術】
【０００２】  イ、  従来のものは片手で蓋を持ち上げ、もう一方で必要量の紙を引きだし蓋の端をロール紙に押し付けながら引きちぎっていた。
ロ、  従来、ロール紙の受け置き方は紙管の中に棒状のものを通すか、その紙管の両端にバネを利用した指先状の短い棒で吊るすものであった。
【発明の開示】
【発明が解決しようとする課題】
【０００３】    そのため、次のような問題点があった。
イ、  片方の手が何かで塞がっている時、片手では紙を切断できなかった。
ロ、  紙の端が湿気とか静電気などによって上蓋の裏に引っ付いたり、ロールから離れにくかったりして摘み出しが難しいことがあった。
ハ、  紙の端を摘みだそうとロール紙に指先を当てたとき、それが前後に回転して手間取り摘み出しにくいことが多かった。
ニ、  紙管無しのロール紙が使えるのは極々僅かであった。
本発明は以上の問題点を解決しようとするものである。
【課題を解決するための手段】
【０００４】  イ、  基盤となる壁板の上部正面に紙の突き上げと流れを止める天板とその真下に紙の流れ台を嵌め込んで受け乗せる支持脚を両側に固定する。
ロ、  支持脚正面よりの上辺に流れ台の支軸棒を嵌め込めるカギ型の受け溝を設ける。
ハ、  流れ台の支軸棒の位置から正面寄りに紙の端を摘むための切り抜き窓を設け、その正面の端に鋸状の切刃を、側面双方に紙の滑り落ちを防ぐガードを設け、壁板側である流れ台の紙の入り口を紙の流れの曲がりに沿った形に形成されている。
二、  この流れ台は流れる紙を乗せているシーソー台でもあるので、この台の支点に軸棒を設けて支軸としている。
ホ、  ロール紙の受け置き部分をロール紙の外周に合わせた形の半円状にする。
ロール紙の回転を補助する２本のローラーと、その位置並びに直径をもってロール紙の受け台とし、それの三方に囲いを付けたものとする。
本発明は以上の構成よりなる
【発明の効果】
【０００５】  片手によってその目的が達成される為、片手が使えない人、片手が何かで塞がっている人も体を左右によじらずに紙を容易に切断できる。
使うに従いロール紙の残りが少なくなっても引き出しの位置が不変のため、紙の端を摘み出すのが容易である。
何時も紙面が天板の裏面と流れ台の天板への接点部との間に在って押し付けられるので、下方のロールのところに紙の端が戻らない。
そのため紙の端の取り出しをやり直すことが無い。
ロール紙を取り換えるとき、紙の流れ台を一旦掴み上げるのでそこの間隔が広くなり、その受け置きと紙の端の引き上げも容易である。
【発明を実施するための最良の形態】
【０００６】以下、本発明の実施の形態を説明する。
イ、  基盤となる垂直状の壁板（１）の上部正面に紙の突き上げと流れを止める天板（３）を水平に設ける。
ロ、  天板（３）の下、両側に紙の流れ台（６）を嵌め込んで受け止める支持脚（２）を壁板に接して固定する。
ハ、  支持脚（２）上辺の正面寄りに紙の流れ台（６）に固定している支軸棒（７）を嵌め込めるカギ型の受け溝（１４）を設けている。
ニ、  支持脚（２）に嵌め込みと取り外し自在の紙の流れ台（６）はシーソー台の役目をしている重要部分である。
ホ、  流れ台（６）の支点の部分に支軸棒（７）を設け、流れ台（６）の正面寄りに紙の端を上面と裏側から指で摘む為の切り抜き窓（１１）を設けている。
ヘ、  流れ台（６）の正面の端の角に鋸状の切り刃（８）を、流れ台（６）の側面双方に紙の滑り落ちを防ぐガード（９）を設けている。
ト、  流れ台（６）の紙の流れ入り口（１３）の端を紙の流れの曲がりに沿った形状に成形している。
チ、  壁板（１）の下部正面に受け囲いと一体化したロール紙受け台（１６）を固定し、ロール紙（５）の外周の形に合わして半円形とし、その受け台（１６）の深さは紙の端が引き上げられて回転する時、外側正面に放出しない範囲にしている。
なお上部、固定部分と下方ロール紙受け台との取り付けは、受け台に置かれたロール紙の外周の頂点（図５）と点線で示したように垂直に成っているときの紙の流れ台の入り口の端との間隔を１センチ余りにする。
本発明は以上の構成よりなっている。
本発明は以上の構成で此れを使用するときは
イ、  始めに支持脚（２）に嵌め込んだ紙の流れ台（６）の掴み部分（１０）を上方に掴み上げてからロール紙をその受け台（４）に置き、紙の端（１５）を引き上げて天板（３）の上側に一旦止め置く。
ロ、  その次に紙の流れ台に固定した支軸棒（７）を元の支持脚（２）上辺の受け溝（１４）に嵌め込み、一旦その流れ台（６）を紙面に覆われている天板（３）に持たせかけるか、正面に倒して元の状態にする。
ハ、  それから紙の端（１５）を掴んで正面に引けば紙面が流れ台（６）の上面を走って切断の用意が整う。
二、  そのまま所望の長さまで紙の端（１５）を引き出し、正面の端に設けられた鋸状の切り刃（８）の角で下方斜めに引っ張れば切断される。
ホ、  次回からの使用方法は流れ台（６）を切り抜いて設けた紙の摘み窓（１１）から正面端の切り刃（８）越しに上下より指で紙面を摘んで切り刃（８）の外に二回ほど引き出し、それを掴み直してそのまま所望の長さまで紙の端（１５）を引き出し、下方に引いて切断する。
尚、紙が切り刃のところで下方に引けば切断される理由は本発明の要部である紙の流れ台（６）の構成にある。
この紙の流れ台（６）はテコとシーソー並びに天秤の原理を応用し、流れ台は上面に流れ走る紙を乗せている幅の広いシーソー台でもある。流れ台は天秤とシーソー台の役割をして、流れ台の端の切り刃のところで紙を下方に引けばそこに重力が生じ、支軸の相対側が上方に突きあがる。その相対側の端の天板への接点部（１２）の上面を走る紙が天板の下面に強く押し付けられて瞬時に停止するのである。
【図面の簡単な説明】
【０００７】
【図１】  本発明の斜視図
【図２】  本発明の要部の流れ台の正面図
【図３】  本発明の要部の流れ台の斜視図
【図４】  本発明の使用状態を示す斜視図
【図５】  本発明の側面図
【符号の説明】
【０００８】      １  壁板
２  支持脚
３  天板
４  ロール紙受け台の囲い
５  ロール紙
６  紙の流れ台
７  支軸棒
８  鋸状の切り刃
９  滑り止めガード
１０  流れ台の掴み部分
１１  紙の摘み窓
１２  天板への接点部
１３  紙の流れ入り口
１４  支軸棒の受け溝
１５  紙の端
１６  ロール紙の受け台
１７  ロール紙の回転補助ローラー
【図１】
2007130416.tif 000003
【図２】
2007130416.tif 000004
【図３】
2007130416.tif 000005
【図４】
2007130416.tif 000006
【図５】
2007130416.tif 000007